(57)【要約】マーカーペンは、上側表面に沿って隆起部を画定するようにそれぞれ形成された複数の流体保持ペン先がその一方の端部から突出しているハウジングを備える。ペン先部は、隣り合う隆起部の隆起部の隣接する端部を、連続した（または実質的に連続した）隆起部を互いに画定するように接触（または近接）させて、隣り合わせに配置されている。隣接するペン先部からの染料の色移りを防止または阻止するための手段が設けられている。
2005523190.tif 000002
【特許請求の範囲】
【請求項１】
ハウジングであって、前記ハウジングの一端から複数の流体保持ペン先部が突出しており、前記複数の流体保持ペン先部の各々は、上側表面に沿って隆起部を形成する形状を有しており、複数の前記ペン先部が、隣り合う隆起部の隣接する端部と、接触または近接した状態で、隣り合わせに配置されて、連続した（または実質的に連続した）隆起部を共同して形成しているところのハウジングと、
隣接するペン先部からの染料の色移りを防止または阻止するための手段と
を備えるマーカーペン。
【請求項２】
前記ハウジング内に位置されたチャンバ内に存在する着色染料で各ペン先部が補充される、請求項１に記載のペン。
【請求項３】
各ペン先のために別個のチャンバが設けられている、請求項２に記載のペン。
【請求項４】
前記隆起部が直線状である、請求項１から３のいずれか１つに記載のペン。
【請求項５】
前記隆起部が曲線状である、請求項１から３のいずれか１つに記載のペン。
【請求項６】
隆起部が所定の角度に曲げられている、請求項１から３のいずれか１つに記載のペン。
【請求項７】
前記ペン先部は、三角形状の断面を有しており、その三角形の頂点がペン先の隆起部を形成している、請求項１から６のいずれか１つに記載のペン。
【請求項８】
前記ペン先部の側面がそれぞれ、前記隆起部から同一または実質的に同一の角度で下向きに傾斜している、請求項７に記載のペン。
【請求項９】
１つのペン先部の側面が、前記隆起部からほぼ垂直方向に延びている、請求項１から７のいずれか１つに記載のペン。
【請求項１０】
色移りを防止するための前記手段が、１つまたは複数のペン先部の１つまたは複数の側面に付着された非浸透性材料の被覆を備える、請求項１から９のいずれか１つに記載のペン。
【請求項１１】
３本のペン先部が設けられ、中央のペン先部または外側のペン先部のみが被覆されている、請求項１０に記載のペン。
【請求項１２】
適切な被覆材料が、油ベースの液体またはワックスからなる、請求項１０または１１に記載のペン。
【請求項１３】
１つまたは複数のペン先部が、非浸透性の材料で覆われている、請求項１から１１のいずれか１つに記載のペン。
【請求項１４】
隣り合うペン先部の隆起部の長さが同じである、請求項１から１３のいずれか１つに記載のペン。
【請求項１５】
隣り合うペン先部の隆起部の長さが異なる、請求項１から１３のいずれか１つに記載のペン。
【請求項１６】
隣り合うペン先部に付着された染料が異なる色を有している、請求項１から１５のいずれか１つに記載のペン。
【請求項１７】
前記ペン先部が、比較的非可撓性の材料から形成されている、請求項１から１６のいずれか１つに記載のペン。
【請求項１８】
前記ペン先部が、芯部を通ってチャンバから流体を受けるように接続されている請求項２から１７のいずれか１つに記載のペン。
【請求項１９】
前記チャンバが吸収体を備える、請求項１８に記載のペン。
【請求項２０】
前記チャンバか、管状の断面を有しており、その外壁が前記ハウジングの内壁と隣接または接触している、請求項２から１９のいずれか１つに記載のペン。
【請求項２１】
前記チャンバ内に存在する前記流体は、着色染料、分散性染料またはその他の着色媒体を含む水性インク等のインジケータからなる、請求項２から２０のいずれか１つに記載のペン。
【請求項２２】
１つまたは複数の吸収体が、引き出し可能または取り外し可能に前記ハウジング内に取り付けられて、連続した縁部の長さを変更し、または、１つまたは複数のペン先部によって付着される色を変更する、請求項１９から２１のいずれか１つに記載のペン。
【請求項２３】
細長いハウジングの一端から突出した複数の流体保持ペン先部と、各ペン先部の幅全体に亘って形成され、そして、他のペン先の隆起部とともに、流体がそこから表面へ移動することができる連続した隆起部を形成する比較的狭い幅を有する隆起部と、１つのペン先部から隣接するペン先部への流体の移りを防止または阻止するための非浸透性の手段とを備えるマーカーペン。
【発明の詳細な説明】
【技術分野】
【０００１】
本発明は、マーカーペンに関する。
【背景技術】
【０００２】
通常、マーカーペンは、着色染料を含む水性インクなどのインジケータを収容する内部貯蔵部と液体吸収性の芯部を介して接続された繊維状のフェルト様のペン先部を有する管状のハウジングを備える。マーカーペンが使用されるとき、繊維状のペン先部は、毛管現象によって、貯蔵部から芯部を介してペン先部へ移動するインクで補充される。このようなペンは公知であり、特に、文字にマークを付したり、紙または同様の材料に着色効果を得るために使用されている。公知のマーカーペンは、一般に単色の線を形成するために使用される。間隔をあけて配置された２つ以上のペン先部を有するマーカーペンが提案されている。これらは、間隔のあいた２つ以上の色の線を形成する。異なる色の隣接する線を形成するためには、２本以上のペンが一般に必要であり、ペンのペン先部は、その隣り合う縁部で接触する。このような接触は、一方のペン先部から他方への色移りを発生させることが避けられない。
【０００３】
様々な明度を有する線を描くためのドローイングペンが、ＵＳ−Ａ−５３８８９２４に開示されている。このペンは、外筒の内部に配置された複数のインク貯蔵部と、これらインク貯蔵部にそれぞれ接続された複数の吸収性のドローイングチップとを備える。吸収性を有するドローイングチップは、隣接する表面を有しており、これらは相補的であり、耐水性の接着剤によって相互に結合されている。
【０００４】
ＵＳ−Ａ−３８８７２８７は、多色マーキング用具を開示しており、これは、複数の別個の細長い内部液密チャンバを有する管状の容器を備える本体を有する。各チャンバは、異なる色のインクを収容し、各ペン先に異なるマーキング色をそれぞれ供給するために複数の別個のペン先部のうちの１つと連絡している。
【０００５】
ＤＥ−Ａ−３９１８３７３は、隣り合い、または、重なり合う２つの異なる色を生成することが可能な装置を開示している。この装置は、インクまたはペイント用の２つの容器を有するハウジングを備える。カラーが、ハウジングの開放端を覆って嵌め込まれており、吸収性を有する材料のロッドのための２つの貫通孔を有している。これらのロッドは、スリーブ内に封入され、それらの下端部は容器内に嵌め込まれているが、それらの上端部は、書くためまたは塗るために適したチップを有しており、カラー内の複数の孔によって所定の距離だけ離れて保持されている。
【０００６】
ＤＥ−Ａ−１９９３３１８２は、２つの異なる色を有する２本のペンを開示しており、これらは、相互に隣接し、後部において色を染みこませたスポンジ内に存在する流体内に浸漬している。これらペンは、非浸透性の隔壁によって分離され、一方のペンの先端または端面が他方を越えている。
【発明の開示】
【発明が解決しようとする課題】
【０００７】
本発明の１つの目的は、１回のストロークで２つ以上の色の縞を、隣接し合う縞の間の色移りを生ずることなく、または色移りを著しく制限した状態で、形成することが可能なマーカーペンを提供することにある。
【課題を解決するための手段】
【０００８】
別の態様での本発明によれば、ハウジングであって、前記ハウジングの一端から複数の流体保持ペン先部が突出しており、前記複数の流体保持ペン先部の各々は、上側表面に沿って隆起部を形成する形状を有しており、複数の前記ペン先部が、隣り合う隆起部の隣接する端部と、接触または近接した状態で、隣り合わせに配置されて、連続した（または実質的に連続した）隆起部を共同して形成しているところのハウジングと、隣接するペン先部からの染料の色移りを防止または阻止するための手段とを備えるマーカーペンが提供される。
【０００９】
ハウジング内に位置されたチャンバ内に存在する着色染料で各ペン先部が補充されてもよい。各ペン先のために別個のチャンバが設けられてもよい。
【００１０】
２本、３本またはそれ以上のペン先部が設けられてもよい。連続した隆起部は、例えば、直線状、曲線状または所定の角度に曲げられていてもよい。
【００１１】
ペン先部は、三角形状の断面を有しており、その三角形の頂点がペン先の隆起部を形成していてもよい。この構成では、ペン先部の側面がそれぞれ、隆起部から同じまたはほぼ同じ角度で下向きに傾斜していてもよい。また、１本のペン先部の側面が、隆起部からほぼ垂直方向に延びていてもよい。
【００１２】
他の構成では、ペン先部が、壁を備え、その上縁が隆起部を形成しており、その壁がほぼ水平な基部から直立している。
【００１３】
色移りを防止するための手段は、１つまたは複数のペン先部の１つまたは複数の側面に付着された非浸透性材料の被覆を備えていてもよい。３本のペン先部が設けられ、中央のペン先部または外側のペン先部のみが被覆されていてもよい。また、３本のペン先すべてが被覆されてもよい。適切な被覆材料は、油ベースの液体またはワックスからなる。また、１つまたは複数のペン先部が、非浸透性の材料、たとえばＰＶＣなどのプラスチックで覆われていてもよい。
【００１４】
隣り合うペン先部の隆起部の長さは、同じであってもよいし、または異なっていてもよい。隣り合うペン先部に付着された染料は、異なる色のものであることが好ましい。
【００１５】
ペン先部は、比較的非可撓性の材料から形成されることが好ましく、材料ＰＯＲＥＸであってもよい。これは、マーカーを紙、カードまたは類似の材料へ付着させるようにして表面に付着されたとき、その形状を保持する多孔質の流体保持物質である。しかし、同様の物理的特性を有する他の材料を使用してもよい。
【００１６】
ペン先部は、芯部を通ってチャンバから流体を受けるように接続されていてもよい。チャンバは通常、吸収体を備える。吸収体は、本質的に、非浸透性の鞘状部内に配置されたある量の流体を保持する繊維状の材料を備える。流体を保持する材料は、繊維状の材料であってもよい。鞘状部は、通常、両端が開いており、その一方が、吸収体内に存在する流体を毛管現象によりマーカーペンの各ペン先部へ通過させる芯部を受けている。
【００１７】
チャンバは、その外壁がハウジングの内壁と隣接または接触している管状の断面であってもよい。
【００１８】
チャンバ内に存在する流体が、着色染料、分散性染料またはその他の着色媒体を含む水性インクなどのインジケータからなっていてもよい。また、流体は、油ベースの着色染料からなっていてもよい。
【００１９】
１つまたは複数の吸収体が、引き出し可能または取り外し可能に前記ハウジング内に取り付けられて、連続した縁部の長さを変更し、または、１つまたは複数のペン先部によって付着される色を変更してもよい。
【００２０】
他の実施形態では、本発明は、細長いハウジングの一端から突出した複数の流体保持ペン先部と、各ペン先部の幅全体に亘って形成され、そして、他のペン先の隆起部とともに、流体がそこから表面へ移動することができる連続した隆起部を形成する比較的狭い幅を有する隆起部と、１つのペン先部から隣接するペン先部への流体の移りを防止または阻止するための非浸透性の手段とを備えるマーカーペンを提供する。
【００２１】
本発明を、添付の概略図面を参照して、単なる例としてここで説明する。
【発明を実施するための最良の形態】
【００２２】
図示したマーカーペンは、典型例としては、プラスチック材料から形成されている細長い中空の外側ハウジング１を備える。しかし、他の材料を使用してもよい。ハウジング１の一方の端部は、栓によって閉じられている。しかし、この端部は、恒久的に密封されていてもよい。ハウジングの他方の開端部から、３本の流体保持ペン先部３が突出している。
【００２３】
ケーシング内に、３本の細長い吸収体４が配置されており、その各々は、非浸透性のプラスチック鞘状部内に封入された流体を保持する繊維状の材料の塊からなっている。鞘状部の材料はたとえばＰＶＣなどの、非浸透性材料のスリーブを備えてもよい。各吸収体４は、ハウジング内部に配置された別個の管状のチャンバ内に保持されてもよい。また、各吸収体は、その非浸透性の鞘状部を接触させて、ハウジング内に隣り合わせで配置されてもよい。
【００２４】
各ペン先部３は、商標名ＰＯＲＥＸの下で市販されているものなどの多孔質の材料から形成されている。ＰＯＲＥＸと同一のまたは類似の特性を有する他の材料を使用してもよい。ＰＯＲＥＸは、Ｐｏｒｅｘ  Ｔｅｃｈｎｏｌｏｇｉｅｓ  Ｃｏｒｐｏｒａｔｉｏｎによって、または、Ｐｏｒｅｘ  Ｔｅｃｈｎｏｌｏｇｉｅｓ  Ｃｏｒｐｏｒａｔｉｏｎに代わって製造されたモールド成形可能な多孔質材料である。本質的に、これは、熱可塑性ポリマーペレット、特にポリマーの急速水冷ペレット成形によって形成されたマイクロペレットの溶融された塊からなっている。ペレットは、ほぼ一様なサイズおよび形状のものであり、それぞれ、３つの互いに垂直な軸に沿ってほぼ等しい寸法を有し、平滑な表面と、狭い孔サイズ分布と、より高い強度と、その他の改良された特性とを有している。
【００２５】
図４から明らかなように、各ペン先部は、ほぼ三角形の形状を有しており、三角形の頂点に配置された隆起部５を備える。２つの傾斜した表面が、隆起部から下向きに突出している。それぞれの吸収体からの流体は、毛細現象によってＰＯＲＥＸのペン先部６を通って各ペン先部の縁部へ流れる。図１、２、５および６から明らかなように、ペン先部は、隣り合うペン先部の隆起部の縁を接触させて、隣り合わせに配置されている。それによって、個々のペン先部は、連続した単一の隆起部を形成し、そこから、３つの異なる色のインクを、マーカーペンの１回のストロークで単一の線として表面に付着させることができる。形成される線の幅は、ペン先部が表面に対して位置する角度に応じて異なる。
【００２６】
各ペン先部の側部表面は、隣り合うペン先部の接触する隆起部での色移りを防止するために、非浸透性の材料（たとえば油ベースの液体またはワックス）で被覆されている。また、各ペン先部は、非浸透性の材料の外側鞘状部を備えていてもよい。非浸透性の材料は、１つのペン先部から隣接するペン先部または複数のペン先部への、着色されたインジケータの色移りを防止し、または少なくとも最小限に維持する。
【００２７】
図面からわかるように、各ＰＯＲＥＸペン先部の芯部として作用する部分は、ほぼ一定の直径または厚さの上側カラー部分７と、テーパ状に形成された柄部８とを有する。通常、ペン先部の直径（即ち、縁部の長さ）は、８．１ｍｍのオーダーであり、カラーの直径は６ｍｍである。カラーの長さは通常５ｍｍであり、柄部の長さは通常１４ｍｍである。柄部の端部の直径は通常４ｍｍである。
【００２８】
１つまたは複数の吸収体、およびそれと接触するペン先部は、一定の時間、同時に使用されるペン先部の数を変更し、または、マーカーペンによって表面に付着させることができる色を変更するために、引き出し可能、取り外し可能または交換可能である。
【００２９】
図に示すように、マーカーペンは、３本の突き出したペン先部を有する。２または３以上のペン先部を設けてもよい。また、隆起部５の長さを変更してもよい。従って、たとえば、５つのペン先部を有するペンの最も外側の隆起部の長さを、中央の３つのペン先部の長さよりも短くして、マーカーペンによって形成された多色の線に、細く、色の濃い縁取りをもたらしてもよい。
【００３０】
以上の記述は、本発明によるマーカーペンの単なる例示に過ぎず、特許請求の範囲に述べた本発明の３つの範囲を逸脱することなく変更を行うことができることは明らかであろう。
【図面の簡単な説明】
【００３１】
【図１】本発明によるマーカーの側面図である。
【図２】図１に示したマーカーを通る断面図である。
【図３】図１に示したマーカーのペン先部の端面図である。
【図４】図１に示したマーカーのペン先部の側面図である。
【図５】図１に示したマーカーのペン先部３本のアセンブリの透視図である。
【図６】図１に示したマーカーのペン先部３本のアセンブリの上から見た平面図である。
【図１】
2005523190.tif 000003
【図２】
2005523190.tif 000004
【図３】
2005523190.tif 000005
【図４】
2005523190.tif 000006
【図５】
2005523190.tif 000007
【図６】
2005523190.tif 000008
【国際調査報告】
2005523190.tif 000009
2005523190.tif 000010